(57)【要約】【課題】  容器本体の再閉用粘着シールが、包装体から剥がされたことによる不正を容易に視認することができる包装容器または包装体を提供する。【解決手段】  内容物を収納するための上面開口部を有する容器本体１０と、容器本体１０の上面開口部を封止する蓋体２０と、容器本体１０から剥離された蓋体２０で容器本体１０を再閉するために蓋体２０の上面と容器本体１０の側面に跨って貼着可能な粘着シール３０と、を備え、蓋体２０が、蓋体の基材層の上に着色層２１を形成し、粘着シール３０が、基材層と、粘着層とを有し、かつ、粘着シール３０の粘着層面、または、蓋体２０の基材層と着色層との層間の一部にパターン状に易剥離層が形成され、蓋体２０の着色層の上に貼着された状態の粘着シール３０が、蓋体２０から剥がされて前記着色層を破壊し、粘着シール３０が蓋体２０から剥離済みの状態であると視認できる包装体２とすることにより、上記課題を解決した。【選択図】      図２
2015229508.tif 000002
【特許請求の範囲】
【請求項１】
内容物を収納するための上面開口部を有する容器本体と、
前記容器本体の上面開口部を封止する蓋体と、
前記容器本体から剥離された前記蓋体で前記容器本体を再閉するために前記蓋体の上面と前記容器本体の側面に跨って貼着可能な粘着シールと、を備え、
前記蓋体が、蓋体の基材層の上に着色層を形成し、
前記粘着シールが、基材層と、粘着層とを有し、
かつ、前記粘着シールの粘着層面、または、前記蓋体の基材層と着色層との界面の一部にパターン状に易剥離層が形成され、
前記蓋体の着色層の上に貼着された状態の前記粘着シールが、前記蓋体から剥がされて前記着色層を破壊することにより、前記粘着シールが前記蓋体から剥離済みの状態であると視認できることを特徴とする包装体。
【請求項２】
前記蓋体から剥がされた状態の前記粘着シールを所定の用紙に貼り付け、懸賞応募券として用いることができることを特徴とする請求項１に記載の包装体。
【請求項３】
前記包装体が、更にその全体を覆う熱収縮性フィルムを備え、
前記熱収縮性フィルムに開封用切り込み部が設けられ、
前記粘着シールが、前記開封用切り込み部を塞ぐための開封用シールとして使用可能であることを特徴とする請求項１又は請求項２に記載の包装体。
【発明の詳細な説明】
【技術分野】
【０００１】
本発明は、包装体に関するものである。特に不正防止用の粘着シールを備えた包装体に関するものである。
【背景技術】
【０００２】
従来、カップラーメンに代表される即席食品は、熱湯をカップ状容器内に注湯して数分間待つだけで麺が復元し、後は復元した麺をスープ等と一緒に飲食すればよいといった手軽さから大量に食されている。
その使用方法は、例えば、カップラーメンの場合、開封用シールを把持して引っ張ることにより、容器を包装している熱収縮性フィルムを取り除き、容器本体にヒートシールされた蓋体の摘み片を指で摘んで捲り上げて、上面開口部の半分程度まで蓋体を容器本体より剥離して開封する。そして、麺に添付された包装袋から具材等を取り出して麺上に置き、開封した部分から熱湯を容器本体内に注ぐ。その後、蓋体の開封された部分を容器本体のフランジ部上面に当接し、蓋体が捲れ上がらないように、摘み片を粘着シール等で容器本体に止める等して容器内の熱が逃げないように密着保持する。この状態で所要時間調理後、蓋体を容器本体から取り、上面開口部から麺とスープ等を一緒に飲食する。
【０００３】
例えば、特許文献１には、容器本体上端に、蓋が接着設置された即席麺容器において、前記容器本体もしくは、蓋上面に設置された接着シールにより、容易に蓋止め出来ることを特徴とした即席麺容器が開示されている。
例えば、特許文献２には、熱収縮性フィルムで包装された包装体の上に貼着された開封用シールが開示されている。この開封用シールを指で把持して引っ張るだけで、熱収縮性フィルムに切れ目が生じ、この切れ目から熱収縮性フィルムを容器本体より容易に取り外すことができる。
【先行技術文献】
【特許文献】
【０００４】
【特許文献１】実開昭和６１−７７３７７号公報
【特許文献２】特開平６−２４７４２６号公報
【発明の概要】
【発明が解決しようとする課題】
【０００５】
ところで、上記の開封用シールは、懸賞用の応募券として使用される場合がある。
しかしながら、上記のような開封用シールは、熱収縮性フィルムの上に貼着されるため、熱収縮性フィルムで包装された包装体が店頭で展示されているときに、顧客が不正に開封用シールを剥がして取り去る恐れがあった。
そして、この剥がした開封用シールをはがき等の所定の用紙に貼って応募しても、かかる不正が行われたか否かを確認することができなった。
【０００６】
本発明は、上記の問題を解決するためのものであり、容器本体の再閉用粘着シールが、包装体から剥がされたことによる不正を容易に視認することができる包装容器または包装体を提供することを目的としている。
【課題を解決するための手段】
【０００７】
上記目的は以下の本発明によって達成される。即ち、本発明の包装体は、内容物を収納するための上面開口部を有する容器本体と、前記容器本体の上面開口部を封止する蓋体と、前記容器本体から剥離された前記蓋体で前記容器本体を再閉するために前記蓋体の上面と前記容器本体の側面に跨って貼着可能な粘着シールと、を備え、前記蓋体が、蓋体の基材層の上に着色層を形成し、前記粘着シールが、基材層と、粘着層とを有し、かつ、前記粘着シールの粘着層面、または、前記蓋体の基材層と着色層との層間の一部にパターン状に易剥離層が形成され、前記蓋体の着色層の上に貼着された状態の前記粘着シールが、前記蓋体から剥がされて前記着色層を破壊することにより、前記粘着シールが前記蓋体から剥離済みの状態であると視認できることを特徴とする。
また、前記の包装体において、前記蓋体から剥がされた状態の前記粘着シールを所定の用紙に貼り付け、懸賞応募券として用いることができる。
また、前記包装体が、更にその全体を覆う熱収縮性フィルムを備え、前記熱収縮性フィルムに開封用切り込み部が設けられ、前記粘着シールが、前記開封用切り込み部を塞ぐための開封用シールとして使用可能である。
【発明の効果】
【０００８】
本発明の包装容器および包装体によれば、容器本体の再閉用粘着シールが、包装体から剥がされたことによる不正を容易に視認することができる。
【図面の簡単な説明】
【０００９】
【図１】本発明の実施形態に係る包装容器の分解図である。
【図２】本発明の実施形態に係る容器本体に蓋体を粘着シールで再閉した包装体の斜視図である。
【図３】粘着シールを蓋体に貼着する前の状態を示す概略断面図である。
【図４】粘着シールを蓋体に貼着した状態を示す概略断面図である。
【図５】粘着シールを蓋体から剥離した状態を示す概略断面図である。
【図６】本発明の実施形態に係る包装体から粘着シールを剥離した状態を示す斜視図である。
【図７】本発明の実施形態に係る包装体から剥離した粘着シールを所定用紙に貼着した状態を示す図である。
【図８】本発明の実施形態に係る熱収縮性フィルムで被覆された包装体を示す図である。
【図９】図３の変形例を示す概略断面図である。
【発明を実施するための形態】
【００１０】
以下、本発明を実施するための形態を図面に基づいて詳細に説明する。なお、下記実施形態により本発明が限定されるものではない。また、下記実施形態で開示した構成要素は適宜組み合わせることが可能である。
【００１１】
（包装容器）
図１は、本発明の実施形態に係る包装容器の分解図である。
図１に示すように、本発明の実施形態に係る包装容器１は、内容物を収納するための上面開口部１１を有する容器本体１０と、容器本体１０の上面開口部１１のフランジ部１２でヒートシールラッカーを塗布してヒートシールして密封可能な蓋体２０とを備える構成である。
容器本体１０は、ポリスチレン樹脂やポリプロピレン樹脂シートなどの単層シート材料を真空成形法などによりシート成形することができる。
蓋体２０は、易開封性（イージーピール性）を有し、また、立ち上げた状態が保持される、いわゆる、デッドホールド性、また、気密性、遮光性を確保するシート材であれば特に限定されない。
粘着シール３０は、一旦剥がされた蓋体蓋体２０の上面と容器本体１０の側面に跨って貼着するものである。
【００１２】
図２は、本発明の実施形態に係る容器本体に蓋体を粘着シール３０で再閉した包装体２の斜視図である。
蓋体２０は、一旦剥がすと再封性（リクローズ性）がないので、蓋体２０と容器本体１０の密封性が維持されない。
熱湯調理する際に、容器本体にヒートシールされた蓋体の摘み片２４を指で摘んで開封し、開封した部分から熱湯を容器本体内に注ぎ、一旦剥がされた蓋体２０を再閉鎖する必要がある。この場合、粘着シール３０を介して容器本体１０に蓋体２０を再閉することができる。
【００１３】
（粘着シール）
図３は、粘着シール３０を蓋体に貼着する前の状態を示す概略断面図である。
図３に示すように、粘着シール３０は、帯状の基材層３１と、基材層３１の裏面側に形成された粘着層３２と、粘着層３２の一部の領域に易剥離層３３が形成された構成を有している。
【００１４】
粘着シール３０の基材層３１は、例えば、耐衝撃性、耐熱性を有するプラスチックフィルムであれば特に限定されない。
上記のプラスチックフィルムとしては、例えば、ポリプロピレンフィルムなどのポリオレフィンフィルム、ポリエチレンテレフタレートフィルム、ポリブチレンテレフタレートフィルムなどのポリエステルフィルム、ポリアミドフィルム、ポリスチレンフィルム、ポリ塩化ビニルフィルムなど種々の高分子材料によるフィルムを用いることができる。
上記のプラスチックフィルムは、延伸フィルムであることが耐衝撃性、耐熱性の点から好ましい。また、プラスチックフィルムは単独でまたは２種以上を組み合わせて使用することができる。
基材層３１の表面または裏面には、文字、図形、絵柄等が印刷されていてもよい。
【００１５】
なお、本発明では、基材層３１は、透明性が高いことが好ましい。このことにより、後述する蓋体上に貼着し、その後、剥がすと、蓋体の着色層の一部が、粘着シール３０に転移し、この粘着シール３０に転移した着色層を外側から視認することができる。
【００１６】
基材層３１の厚みは、特に制限されず、例えば、１０μｍ〜２００μｍ、好ましくは３０μｍ〜１００μｍ程度の範囲から選択することができる。
【００１７】
粘着層３２は、着色層２１に対して接着性を有することが必要である。そして、基材３１に対しても接着性を有することが必要である。
粘着層３２は、例えば、アクリル系接着剤、ウレタン系接着剤、エポキシ系接着剤、アクリル系粘着剤、ゴム系粘着剤などを使用することができる。
【００１８】
粘着層３２の厚みは、特に制限されず、例えば、３μｍ〜５０μｍ、好ましくは５μｍ〜２５μｍ程度の範囲から選択することができる。
【００１９】
なお、蓋体２０の着色層２１と粘着層の接着強度を増すために、粘着層３２と基材層３１との層間にクッション性を増すための中間層を設けてもよい。
【００２０】
易剥離層３３は、粘着層３２の一部の領域にパターン状に形成されるものである。
易剥離層３３は、蓋体から粘着シール３０を剥がすとき、着色層２１の一部が、蓋体の基材層２２から剥離しないで残るようにするために形成するものである。このことにより、粘着シール３０が蓋体から剥離済みの状態であると視認可能となる。
易剥離層３３は、透明性が高いことが好ましい。このことにより、易剥離層３３が、粘着層３２の上にパターン状に形成された領域を視認することができないので、蓋体から剥離するときまで文字、図形、絵柄等の情報を隠蔽することができる。
非粘着面は、例えば、シリコーン、フッ素化合物、ワックス類等の剥離材を含有するコーティング材を塗布して形成することができる。
【００２１】
(蓋体)
本発明の実施形態に係る蓋体２０は、基材層２２と、基材層２２の表面に形成された着色層２１とを備える。
蓋体の基材層２２は、例えば、アルミニウム箔、紙、合成樹脂フィルム等を組み合わせた単層または多層材料で構成されている。
【００２２】
着色層２１は、蓋体２０から粘着シール３０を剥がした際、粘着シール３０が蓋体から剥離済みの状態であると視認可能とするために形成する層である。
着色層２１は、粘着シール３０が蓋体２０から剥離済みの状態であると視認することができる情報を印刷することができることが好ましい。
着色層２１は、着色剤、樹脂成分、溶剤や各種添加剤等を混合して調整することができる。すなわち、グラビア印刷用インキ、スクリーン印刷用インキなど各種印刷用インキ等を用いることができる。
蓋体２０を構成する基材層２２と着色層２１の間の剥離強度は、蓋体２０から粘着シール３０を剥がすとき、着色層２１の一部が、基材層２２から剥離しやすいようにして、粘着シール３０が蓋体２０から剥離して使用済みの状態であると視認できるように剥離剤等を添加して調整する。
なお、剥離強度とは、剥離するときにかかる力（Ｎ）のことをいう。本実施形態の着色層２１の剥離強度は、蓋体２０から粘着シートを剥がす際、基材層２２から着色層２１を剥がすことができる程度の剥離強度である。
着色層２１の厚みは、２μｍ〜５μｍ程度を塗布することが好ましい。
【００２３】
図４は、粘着シール３０を蓋体２０に貼着した状態を示す概略断面図であり、図５は、粘着シール３０を蓋体２０から剥離した状態を示す概略断面図である。
２１ａは貼着された粘着シール３０を剥離した際の蓋体２０への転移部であり、２１ｂａは貼着された粘着シール３０を剥離した際に蓋体２０に転移しない非転移部である。
粘着シール３０を蓋体２０に貼着した後、剥離させると、図５に示されているように、蓋体２０の基材層２２と着色層２１との界面での剥離や、着色層２１の内部での破壊により、粘着層３２に着色層２１ａが貼着された状態で蓋体２０に転移する。一方、易剥離層３３の下部にある着色層２１の領域では、蓋体２０に着色層２１ｂが残存する構成となっている。
【００２４】
図６は、本発明の実施形態に係る包装体２から粘着シールを剥離した状態を示す斜視図である
蓋体２０から貼着された粘着シール３０が、剥離されると、粘着シール３０には着色層２１ａの一部が転移しているので、蓋体２０に貼着された粘着シール３０が剥離されていることを認識することができる。
この場合、特に、この粘着シール３０に転移する着色層２１ａが、蓋体２０から剥離されたことを示す文字、絵柄、図形等の情報を発現させることができるようにパターン状に易剥離層が粘着層３２に形成されるように調整されていると、容易に蓋体２０に貼着された粘着シール３０が剥離されて使用済であることを認識することができる。
【００２５】
図７は、本発明の実施形態に係る包装体から剥離した粘着シールを所定用紙に貼着した状態を示す図である。
図７に示すように、蓋体から剥がされた状態の粘着シールを所定の応募の用紙６０に貼り付け、懸賞応募券として使用することができる。
再貼着状態の粘着シール３０Ａには、各種の景品やプレゼントが当たる抽選番号等の情報を表示することができる。
【００２６】
図８は、本発明の実施形態に係る熱収縮性フィルムで被覆された包装体を示す図である。
図８に示すように、容器本体に内容物４０を充填後、蓋体２０でヒートシールにより密封され、さらに、熱収縮性フィルム５０で全体を覆い、熱風等により熱収縮性フィルム５０を収縮させて包装される。
熱収縮性フィルム性５０には開封用切り込み部５１が設けられている。
この開封用切り込み部５１を塞ぎ、害虫等から防止する目的で、粘着シール３０を使用することができる。
熱収縮性フィルムで包装した包装体３は、その使用時には、粘着シール３０の非粘着部を指で把持して引っ張るだけで、熱収縮性フィルム５０の開封用切り込み部５１から裂けて包装体を容易に取り外すことができる。
【００２７】
（変形例）
図９は、図３の変形例を示す概略断面図である。
図９に示すように、粘着シール３０は、帯状の基材層３１と、基材層３１の裏面側に粘着層３２を形成している。
蓋体２０は、基材層２２と、着色層２１との層間に易剥離層３３を介して形成する。
易剥離層３３は、粘着層３２側でなく、蓋体２０側に形成されていてもよい。
易剥離層３３は、蓋体２０から粘着シールを剥がすとき、着色層２１の一部が、蓋体の基材層２２から剥離しやすくするために形成するものである。このことにより、粘着シールが蓋体２０から剥離済みの状態であると視認可能となる。
【符号の説明】
【００２８】
１      包装容器
２      包装体
３      熱収縮性フィルムで包装した包装体
１０      容器本体
１１      上面開口部
１２      フランジ部
２０      蓋体
２１      着色層
２１ａ    着色層（粘着シールへの転移部）
２１ｂ    着色層（粘着シールへの非転移部）
２２      基材層
２４      摘み片
３０      粘着シール
３０Ａ    再貼着状態の粘着シール
３１      基材層
３２      粘着層
３３      易剥離層
４０      内容物
５０      熱収縮性フィルム
５１      開封用切り込み部
６０      用紙
【図１】
2015229508.tif 000003
【図２】
2015229508.tif 000004
【図３】
2015229508.tif 000005
【図４】
2015229508.tif 000006
【図５】
2015229508.tif 000007
【図６】
2015229508.tif 000008
【図７】
2015229508.tif 000009
【図８】
2015229508.tif 000010
【図９】
2015229508.tif 000011